【事件の表示】
　特願２０１２−２７０６１３「貯遊技媒体処理システム」拒絶査定不服審判事件〔平成２５年　３月１４日出願公開、特開２０１３−　４８９５４〕について、次のとおり審決する。
【結　論】
　本件審判の請求は、成り立たない。
【理　由】
１　手続の経緯 
　本願は、平成１３年６月２８日（優先権主張平成１２年６月２８日）に出願した特願２００１−１９６９９１号の一部を平成２２年６月２１日に新たな特許出願である特願２０１０−１４０６６９号とし、さらにこの特許出願の一部を平成２４年１２月１１日に新たな特許出願としたものであって、平成２６年３月１１日付けで拒絶の理由が通知され、平成２６年４月１８日に意見書及び手続補正書が提出されたところ、平成２６年５月２日付け（発送日：平成２６年５月８日）で拒絶査定がなされ、これに対して、同年８月４日に拒絶査定不服審判の請求がなされるとともに、手続補正がなされたものである。
　一方、当審において平成２７月１１月９日付けで拒絶の理由を通知し、これに対して、平成２８年１月６日に意見書及び手続補正書が提出されたところである。
２　本願発明
　本願の請求項１から５に係る発明は、平成２８年１月６日付けの手続補正書により補正された特許請求の範囲の請求項１から５に記載されたとおりであるところ、その請求項１に係る発明（以下「本願発明」という。）は次のとおりのものである。 
「【請求項１】
　遊技機に対応付けて設けられ、遊技者によって預け入れられた貯遊技媒体の貸与処理を行う貯遊技媒体処理装置と、
　前記貯遊技媒体処理装置と通信可能に接続される貯遊技媒体管理装置と、
を備える貯遊技媒体処理システムであって、
　前記貯遊技媒体管理装置は、
　予め登録された遊技客が所持する遊技客識別媒体を識別する識別情報に対応付けて前記貯遊技媒体の数を特定する貯遊技媒体数情報を管理する貯遊技媒体数管理手段を備え、
　前記貯遊技媒体処理装置は、
　前記遊技客識別媒体を受け付ける識別媒体受付手段と、
　前記識別媒体受付手段にて受け付けた前記遊技客識別媒体から前記識別情報を読取る読取手段と、
　遊技機での遊技によって遊技客が獲得した遊技媒体を計数する計数手段と、
　前記計数手段にて計数された遊技媒体数を記憶する獲得遊技媒体数記憶手段と、
　遊技客による前記貯遊技媒体の預入要求のための操作を受け付ける預入要求操作受付手段を備え、
　前記識別媒体受付手段にて前記遊技客識別媒体を受け付け、なおかつ前記預入要求操作受付手段にて操作を受け付けたことを条件として、前記獲得遊技媒体数記憶手段に記憶されている遊技媒体の数量を特定可能な情報を前記貯遊技媒体管理装置に送信し、
　前記貯遊技媒体管理装置は、前記遊技客識別媒体により特定される識別情報と、前記情報により特定される遊技媒体の数量を貯遊技媒体として対応付けて更新記憶することを特徴とする貯遊技媒体処理システム。」
３　刊行物
　当審の拒絶の理由（平成２７年１１月９日付けの拒絶理由通知）に引用された本願の出願日前に頒布された特開２０００−９９８３１号公報（以下「刊行物１」という。）には、図面と共に次の事項が記載されている（下線は当審で付した。以下同じ。）。 
（ａ）「【発明の詳細な説明】
【０００１】
【発明の属する技術分野】本発明は、
遊技場等を利用する会員に対して種々のサービスを提供するポイントシステム
【０００２】
【従来の技術】
従来、パチンコ店等
会員システムは、会員となった遊技客に会員カードを配布
【０００３】
【発明が解決しようとする課題】一方、
パチンコ店内において遊技客に提供可能なサービスとしては、
再プレイ手数料サービス（例えば、遊技者が獲得した玉を貯玉として管理し、遊技者はこの貯玉から手数料を払って引き出した玉を用いて再遊技を行うことができる。）等種々のサービスがある
（ｂ）「【０００５】
【発明の実施の形態】以下に、本発明に実施の形態を図面を用いて説明する。図１は、パチンコ店におけるポイントシステムの一実施の形態の構成を示したものである。図１に示す
ポイントシステムは、遊技台端末１１〜１３、玉貸機２０、
会員サーバー５０等により構成され、各機器はＬＡＮ等の通信線６０により接続されている。遊技台端末１１〜１３は、各遊技台毎に設けられ、
カード挿入口に挿入された会員カードに記憶されている会員番号等を読み取り読取手段を有している
会員サーバー５０は、各会員の会員番号、
貯玉数、
を含む会員情報
を記憶手段に記憶する
（ｃ）「【０００７】なお、各会員の利用形態におけるポイント数の加算は、例えば以下のようにして判断する。
（１）使用金額ポイント数
玉貸機２０が各遊技台に設けられている場合
玉貸機２０は、玉を貸し出す
（ｄ）「【００１０】（４）貯玉利用ポイント数
各遊技台端末１１〜１３のカード挿入口に会員カードが挿入されると、各遊技台端末１１〜１３は、会員カードから読み取った会員番号を会員サーバー５０に送信する
各遊技台端末１１〜１３は、貯玉預入操作が行われると、例えば貯玉預入数を含む貯玉処理信号を会員サーバー５０に送信する
【００１１】次に、遊技台端末１１〜１３、玉貸機２０、景品サーバー３０、情報端末４０それぞれで遊技者に提供されるサービスの内容を決定するためのポイント設定条件及び割引ポイント条件について説明する。図３は、
遊技者が、遊技台端末１１〜１３で自分の貯玉から玉を引き出して再プレイする
（ｅ）「【００１６】次に、本実施の形態における、会員の遊技者の利用形態に応じたポイント数の付与動作、会員の遊技者が有するポイント数に応じたサービス内容の決定動作を具体的に説明する。なお、各種のサービスの内容を決定するためのポイント数設定条件は図３〜図６に示したように設定されているものとする。
会員の遊技客が、
遊技により獲得した玉を
貯玉預入し、さらに再プレイする
貯玉から
個引き出した
（ｆ）前記（ａ）の段落【０００２】の【従来の技術】に係る記載から、会員カードが、会員となった遊技客に配布されたものであることは明らかである。
（ｇ）前記（ｅ）より、会員の遊技客が、貯玉預入する玉の数（貯玉預入数）は、遊技により獲得したものであるといえる。
　上記の記載事項（ａ）〜（ｅ）及び認定事項（ｆ）〜（ｇ）を総合すると、刊行物１には、次の発明が記載されていると認められる（以下「引用発明１」という。）。 
「各遊技台毎に設けられた遊技台端末１１〜１３であって、遊技者が、自分の貯玉から玉を引き出して再プレイするために、貯玉引き出し操作を行う遊技台端末１１〜１３と、
　各遊技台に設けられており玉を貸し出す玉貸機２０と、
　遊技台端末１１〜１３とＬＡＮ等の通信線６０により接続されている会員サーバー５０を含んで構成されたポイントシステムであって、
　会員サーバー５０は、会員となった遊技客に配布された会員カードに記憶されている各会員の会員番号、貯玉数を含む会員情報を記憶手段に記憶し、
　各遊技台端末１１〜１３は、カード挿入口に挿入された会員カードに記憶されている会員番号等を読み取る読取手段を有しており、各遊技台端末１１〜１３のカード挿入口に会員カードが挿入されると、会員カードから読み取った会員番号を会員サーバー５０に送信し、貯玉預入操作が行われると、遊技により獲得した貯玉預入数を含む貯玉処理信号を会員サーバー５０に送信するものである、ポイントシステム。」
４　対比
　本願発明と引用発明１とを比較すると、以下のことがいえる。
（１）引用発明１の「各遊技台毎に設けられ」ることは、本願発明の「遊技機に対応付けて設けられ」ることに相当する。
（２）本願発明の「遊技者によって預け入れられた貯遊技媒体の貸与処理」について、本願の明細書には、
「【００５２】
　・・・図７は、この発明の第２の実施形態に係る遊技媒体貸出システムの構成を示すブロック図である。この第２の実施形態に係る遊技媒体貸出システムでは、携帯電話機１１０を用いて、遊技機１２０における遊技などで遊技客が獲得した遊技媒体の個数（遊技媒体数）のデータを貯玉データとしてデータ集計管理装置１５０に記憶させておき、後に、そのデータ集計管理装置１５０に記憶させた貯玉データを使用して遊技媒体の貸出しを受けることができる。・・・」
「【００８２】
　図１２は、貯玉データをパチンコ玉に変換する際のデータの流れを示す図である。・・・台間機１３０において貯玉データをパチンコ玉に変換する際には、遊技客は、まず、台間機１３０の情報表示器１３７に初期画面が表示されていることを確認する（1.初期画面表示）。」
「【００８４】
　また、情報表示器１３７の表示画面には、貯玉数とともに「再プレイ」および「キャンセル」などの複数の選択項目が表示される。これらの選択項目には、互いに異なる数字が付されており、貯玉データをパチンコ玉に変換するためには、遊技客は、「再プレ−」に付された数字を台間機１３０のテンキー１３８から入力する（7.「再プレ−」選択）。・・・
【００８５】
　「再プレイ」に付された数字が入力されたことに応答して、台間に１３０からデータ集計管理装置１５０に向けて、貯玉データをパチンコ玉に変換するための処理を行う旨の信号が送信される（8.玉貸要求）。・・・」
「【００８７】
　暗証番号が正しければ、データ集計管理装置１５０から台間機１３０に向けて、正しい暗証番号が携帯電話機１１０から入力された旨の信号が送信される（13.照合結果送信）。この信号を台間機１３０が受信すると、台間機１３０からその台間機１３０に対応づけられた遊技機１２０に向けて玉貸要求信号が送信される（14.玉貸要求信号送信）。この玉貸要求信号を受けて、遊技機１２０では、遊技機１２０内のパチンコ玉払出装置から上皿１２３に所定数のパチンコ玉が排出される（15.遊技媒体貸出）。そして、パチンコ玉の排出が完了すると、遊技機１２０から台間機１３０に向けて玉貸しが完了した旨の信号（玉貸完了信号）が送信され（16.玉貸完了信号送信）、この信号を受けた台間機１３０では、情報表示器１３７に表示されている貯玉数が上記所定数だけ減算して得られる値に更新される（17.貯玉数表示更新）。」
「【０１０１】
　以上のように、この第２の実施形態によれば、遊技機１２０における遊技などで遊技客が獲得したパチンコ玉（獲得玉）の個数のデータを貯玉データとしてデータ集計管理装置１５０に登録しておき、後に、そのデータ集計管理装置１５０に登録した貯玉データを使用してパチンコ玉の貸出しを受けることができる・・・」
と記載されているから、本願発明の「遊技者によって預け入れられた貯遊技媒体の貸与処理」とは、遊技客が、貯玉データを使用して遊技媒体の貸出しを受けるために、再プレイの入力を行うと、遊技媒体が排出される処理を意味するものといえる。
　そうすると、引用発明１の「遊技者が、自分の貯玉から玉を引き出して再プレイするために、貯玉引き出し操作を行う」ことは、本願発明の「貸与処理」と、「遊技客が、貯玉データを使用して遊技媒体の貸出しを受けるために、再プレイの入力を行う」点で共通している。
（３）前記（１）及び（２）から、引用発明１の「各遊技台毎に設けられた遊技台端末１１〜１３であって、遊技者が、自分の貯玉から玉を引き出して再プレイするために、貯玉引き出し操作を行う遊技台端末１１〜１３」は、本願発明と「遊技機に対応付けて設けられ、遊技客が、貯玉データを使用して遊技媒体の貸出しを受けるために、再プレイの入力を行う貯遊技媒体処理装置」に相当する構成を有する点で共通する。
（４）引用発明１の「遊技台端末１１〜１３とＬＡＮ等の通信線６０により接続されている会員サーバー５０」は、本願発明の「前記貯遊技媒体処理装置と通信可能に接続される貯遊技媒体管理装置」に相当する。
（５）引用発明１の「会員となった遊技客に配布された会員カード」、「会員の会員番号」及び「貯玉数」は、それぞれ、本願発明の「予め登録された遊技客が所持する遊技客識別媒体」、「識別情報」及び「貯遊技媒体の数」に相当する。
　そうすると、引用発明１の会員サーバー５０が、会員となった遊技客に配布された会員カードに記憶されている各会員の会員番号、貯玉数を含む会員情報を記憶する「記憶手段」は、本願発明の「予め登録された遊技客が所持する遊技客識別媒体を識別する識別情報に対応付けて前記貯遊技媒体の数を特定する貯遊技媒体数情報を管理する貯遊技媒体数管理手段」に相当する。
（６）引用発明１の遊技台端末１１〜１３が備える「カード挿入口」及び「カード挿入口に挿入された会員カードに記憶されている会員番号等を読み取る読取手段」は、それぞれ、本願発明の貯遊技媒体処理装置が備える「前記遊技客識別媒体を受け付ける識別媒体受付手段」及び「前記識別媒体受付手段にて受け付けた前記遊技客識別媒体から前記識別情報を読取る読取手段」に相当する。
（７）引用発明１の各遊技台端末１１〜１３で行われる「遊技により獲得した貯玉預入数」の「貯玉預入操作」は、本願発明の貯遊技媒体処理装置における「遊技客による前記貯遊技媒体の預入要求のための操作」に相当する。
　そうすると、引用発明１の遊技台端末１１〜１３は、本願発明の「預入要求操作受付手段」に相当する構成を備えているものといえる。
（８）引用発明１の「カード挿入口に会員カードが挿入される」こと、「貯玉預入操作が行われる」こと及び「貯玉預入数を含む貯玉処理信号」は、それぞれ、本願発明の「前記識別媒体受付手段にて前記遊技客識別媒体を受け付け」ること、「前記預入要求操作受付手段にて操作を受け付けたこと」及び「遊技媒体の数量を特定可能な情報」に相当する。
　そして、「貯玉預入数を含む貯玉処理信号を会員サーバー５０に送信する」ことは、「カード挿入口に会員カードが挿入され」かつ「貯玉預入操作が行われる」ことによって行われるから、「カード挿入口に会員カードが挿入され」かつ「貯玉預入操作が行われる」ことが条件となっているといえる。
　以上のことから、引用発明１の「各遊技台端末１１〜１３のカード挿入口に会員カードが挿入されると、会員カードから読み取った会員番号を会員サーバー５０に送信し、貯玉預入操作が行われると、遊技により獲得した貯玉預入数を含む貯玉処理信号を会員サーバー５０に送信する」ことは、本願発明の「前記識別媒体受付手段にて前記遊技客識別媒体を受け付け、なおかつ前記預入要求操作受付手段にて操作を受け付けたことを条件として、遊技媒体の数量を特定可能な情報を前記貯遊技媒体管理装置に送信」することに相当する。
（９）引用発明１の「会員サーバー５０」は、「会員となった遊技客に配布された会員カードに記憶されている各会員の会員番号、貯玉数を含む会員情報を記憶手段に記憶」するものであるから、新たな「貯玉預入数を含む貯玉処理信号」を受信すれば、記憶している「貯玉数」を更新することは自明である。
　そうすると、引用発明１の会員サーバー５０は、本願発明の「前記遊技客識別媒体により特定される識別情報と、前記情報により特定される遊技媒体の数量を貯遊技媒体として対応付けて更新記憶する」ことに相当する構成を備えているものといえる。
　上記（１）から（９）により、本願発明と引用発明１とを比較すると、両者は、
「遊技機に対応付けて設けられ、遊技客が、貯玉データを使用して遊技媒体の貸出しを受けるために、再プレイの入力を行う貯遊技媒体処理装置と、
　前記貯遊技媒体処理装置と通信可能に接続される貯遊技媒体管理装置と、を備える貯遊技媒体処理システムであって、
　前記貯遊技媒体管理装置は、
　予め登録された遊技客が所持する遊技客識別媒体を識別する識別情報に対応付けて前記貯遊技媒体の数を特定する貯遊技媒体数情報を管理する貯遊技媒体数管理手段を備え、
　前記貯遊技媒体処理装置は、
　前記遊技客識別媒体を受け付ける識別媒体受付手段と、
　前記識別媒体受付手段にて受け付けた前記遊技客識別媒体から前記識別情報を読取る読取手段と、
　遊技客による前記貯遊技媒体の預入要求のための操作を受け付ける預入要求操作受付手段を備え、
　前記識別媒体受付手段にて前記遊技客識別媒体を受け付け、なおかつ前記預入要求操作受付手段にて操作を受け付けたことを条件として、遊技媒体の数量を特定可能な情報を前記貯遊技媒体管理装置に送信し、
　前記貯遊技媒体管理装置は、前記遊技客識別媒体により特定される識別情報と、前記情報により特定される遊技媒体の数量を貯遊技媒体として対応付けて更新記憶する貯遊技媒体処理システム。」
　である点で一致し、以下の点で相違する。
［相違点１］
　「貯遊技媒体処理装置」が行う「貸与処理」について、本願発明では、遊技媒体が排出される処理を含んでいるのに対し、引用発明１では、貯玉引き出し操作を行うが、そのような処理がなされることが明記されてない点。
［相違点２］
　「貯遊技媒体処理装置」が、本願発明では、「遊技機での遊技によって遊技客が獲得した遊技媒体を計数する計数手段」を備えているのに対して、引用発明１では、そのような特定がなされていない点。
［相違点３］
　「貯遊技媒体処理装置」が、本願発明では、「前記計数手段にて計数された遊技媒体数を記憶する獲得遊技媒体数記憶手段」を備えているのに対して、引用発明１では、そのような特定がなされていない点。
［相違点４］
　「貯遊技媒体処理装置」が「前記識別媒体受付手段にて前記遊技客識別媒体を受け付け、なおかつ前記預入要求操作受付手段にて操作を受け付けたことを条件として」、「前記貯遊技媒体管理装置に送信」する「遊技媒体の数量を特定可能な情報」が、本願発明では、「前記獲得遊技媒体数記憶手段に記憶されている遊技媒体の数量」であるのに対し、引用発明１では、そのような特定がなされていない点。
５　判断　
［相違点１について］
　貯玉データを使用して遊技媒体の貸出しを受けることが可能な遊技システムにおいて、貯玉引き出し操作に応じて、遊技媒体が排出される構成を設けることは、本願の遡及日前に周知の技術（例えば、特開平１１−５７２０２号公報（以下「刊行物２」という。）の段落【００３５】、【００３６】には、貯玉の引出しにおいて、投出ボタン５１を押すことにより、パチンコ球が台間玉貸機２の玉投出ノズル１０から遊技機１の上皿に投出されることが記載されている。特開平１１−３３３１１６号公報（以下「刊行物３」という。）の段落【００４５】、【００６８】、【０１２５】、【図３０】には、再プレイの際に、遊技機１２ごとに設けた遊技媒体貸出装置２００ａの返却／再プレイボタン２４１を押下することにより、パチンコ玉を遊技媒体貸出装置２００ａのノズル２０６から払い出すことが記載されている。以下「周知技術１」という。）である。
　そうすると、引用発明１の「貯遊技媒体処理装置」において、「貯玉データを使用して遊技媒体の貸出しを受けるために、再プレイの入力」がされた際に、上記周知技術１を適用することで、各遊技台に設けられている玉を貸し出す玉貸機２０等に、遊技媒体が排出される処理を行わせるように構成し、前記相違点１に係る構成とすることは、当業者であれば容易に想到し得たことである。
 
［相違点２から４について］
　相違点２〜４は、いずれも、遊技客による預入要求の対象となる遊技媒体の数量に関連する構成として共通するものであるから、まとめて検討する。
　上記刊行物２（段落【０００９】、【００３５】〜【００３９】、【００４２】、【００４５】、【００４６】、【００５２】、【図１２】参照。）には、遊技機１ごとに台間玉貸機２と玉計数装置１８とが接続され、遊技客が台間玉貸機２に会員カードを挿入し暗証番号の照合を行うことで玉計数装置１８が使用可能となり、遊技によって獲得したパチンコ玉が玉計数装置１８でカウントされて獲得玉数として台間玉貸機２内の記憶部に記憶され、会員である遊技客が台間玉貸機２の返却ボタンを押すことにより記憶されていた獲得データがホールコンピュータ６２に送信され、当該会員の貯玉口座に貯玉されること、が記載されている。
　また、上記刊行物３（段落【０１２１】、【０１２２】、【０１２７】、【０１３１】、【０１３２】、【図２７】、【図３０】参照。）には、遊技媒体の個数を計数する計数機３００ａが各遊技媒体貸出機２００ａに接続されており、獲得した遊技媒体を貯玉するときに押下する貯玉ボタン２４が押下されると、会員カードが挿入されていることを前提に、計数機３００ａで計数された計数結果が、遊技媒体貸出機２００ａを介してホール管理端末機１００に送信され、当該会員の貯玉に累積加算する再プレイ管理装置であって、ホール管理端末機１００では、会員カード毎に予め付与されている顧客ＩＤ番号毎に貯玉数を管理していること、が記載されている。刊行物３には、遊技媒体貸出機２００ａが、計数機３００ａで計数された計数結果を、ホール管理端末１００に送信することが記載されているから、計数機３００ａで計数された計数結果が、遊技媒体貸出機２００ａの記憶部に記憶されることは当業者にとって明らかである。
　さらに、特開平０９−２２５１２９号公報（段落【００３０】、【００３２】〜【００３５】、【００３９】、【００４２】、【図２】、【図４】参照。以下「刊行物４」」という。）には、パチンコ機２等の遊技機に並設される台間玉貸機１１が玉計数機５と接続されており、パチンコ機２のプレーにより増加したパチンコ玉を玉計数機５で計数し、この計数したパチンコ玉を貯玉する場合は、台間玉貸機１１の会員カード挿入口１５に会員カードが挿入された状態で操作ボタン１３の操作を行うと、玉計数機５で計数されたパチンコ玉の数量データと会員カードのデータ（会員番号）がホストコンピュータ２５に送られ、会員の貯玉としてホストコンピュータ２５に記憶されること、が記載されている。刊行物４には、台間玉貸機１１が、玉計数機５で計数されたパチンコ玉の数量データを、ホストコンピュータに送ることに加え、プリンタ６で印字したり、レシートで発行することが記載されているから、玉計数機５で計数されたパチンコ玉の数量データが、台間玉貸機１１の記憶部に記憶されることは当業者にとって明らかである。
　そうすると、これら刊行物２〜４に記載されているように、遊技機の技術分野において、遊技機に対応付けて設けられ、遊技者によって預け入れられた貯遊技媒体の貸与処理を行う貯遊技媒体処理装置に、遊技により獲得したパチンコ玉数を計数する玉計数機と、当該玉計数機によって計数されたパチンコ玉数を記憶する記憶部とを設け、会員カードが挿入され、所定の操作がされたことを条件に、記憶部に記憶されたパチンコ玉数をホールコンピュータのような貯遊技媒体管理装置に送信し、会員毎に貯玉を記憶させるようにし、会員毎の貯玉を管理することは、本願の遡及日前に周知の技術（以下「周知技術２」という。）である。
　他方で、引用発明１は、各遊技台毎に設けられた遊技台端末１１〜１３であって、遊技者が、自分の貯玉から玉を引き出して再プレイする遊技台端末１１〜１３において、会員カードが挿入され、貯玉預入操作が行われると、遊技により獲得した貯玉預入数を含む貯玉処理信号を会員サーバー５０に送信することにより貯玉管理を行うものであり、当該引用発明１に上記周知技術２を適用することで、遊技台端末１１〜１３に、遊技により獲得したパチンコ玉数を計数する玉計数機（計数手段）と、当該玉計数機によって計数されたパチンコ玉数を記憶する記憶部（獲得遊技媒体数記憶手段）とを設け、会員カードが挿入され、貯玉預入操作が行われたことを条件に、記憶部に記憶されたパチンコ玉数を、会員サーバー５０（貯遊技媒体管理装置）に送信するようにし、前記相違点２から４に係る構成とすることは、当業者であれば容易に想到し得たことである。
　また、上記相違点１から４によって本願発明が奏する効果は、当業者が引用発明１及び周知技術１並びに２から予測し得る程度のものであって、格別のものでもない。　
６　むすび 
　以上のとおりであるから、本願発明は、引用発明１及び周知技術１並びに２に基づいて、当業者が容易に発明をすることができたものであり、特許法第２９条第２項の規定により特許を受けることができない。 
　したがって、その余の請求項に係る発明について検討するまでもなく、本願は、拒絶すべきものである。　 
　よって、結論のとおり審決する。